(57)【特許請求の範囲】
【請求項１】
出入用のドアを前面に備えるとともに前後面に対して左右側面を山折又は谷折自在とすることによって扁平状に折畳自在としたトイレブース本体と，該トイレブース本体の背面の内側に起倒回動自在に配置してトイレブース本体内に便座又は便器設置台をなす起倒プレートと，上記トイレブース本体の正面の内側に起倒回動自在に設置することによって起倒プレートの正面側にこれより低い段差面をなすように配置したステッププレートと，該ステッププレートの先端に下端又は上下中間位置を起倒回動自在に設置することによってステッププレートとともに正面側に折畳自在として起倒プレートの前後方向先端又は中間位置を下支え支持する支持脚と，上記起倒プレートの転倒によって該起倒プレート下面側に形成される下位スペースに設置し，可燃性ゴミとして廃棄可能の材料によるディスポーザル容器及び該容器内に収容配置した吸水性物質とを備えてなることを特徴とする据置設置用トイレブース。
【請求項２】
上記起倒プレート下面の下位スペースにディスポーザル容器設置用のボックスを配置し，該ボックスに上記ディスポーザル容器を取外し自在に設置してなることを特徴とする請求項１に記載の据置設置用トイレブース。
【請求項３】
上記ディスポーザル容器を可燃性材料の袋体としてなることを特徴とする請求項１又は２に記載の据置設置用トイレブース。
【請求項４】
上記吸水性物質を，吸水量に応じてゲル状をなす粉状乃至粒状の高吸水性樹脂としてなることを特徴とする請求項１，２又は３に記載の据置設置用トイレブース。
【請求項５】
上記高吸水性樹脂を，ポリアクリル酸ソーダ又は該樹脂系のものとしてなることを特徴とする請求項４に記載の据置設置用トイレブース。
【発明の詳細な説明】
【０００１】
【発明の属する技術分野】
本発明は，工事現場，田畑，イベント会場等に据置設置して使用に供するようにした据置設置用トイレブースに関する。
【０００２】
【発明が解決しようとする課題】
この種トイレブースは，一般に現場組立式にして床下にタンクを備えて多人数用のものとされるために，組立設置，タンク埋込等の設置作業，分解，タンク除去，穴塞ぎ等の撤去作業，タンクの汚物処理や清掃等のメンテナンス作業が煩雑であり，汚物処理費用の発生等の問題が残されており，このため設置使用場所が住宅地内の建築工事現場のように代替設備のない場所の如くに極く一部に限定される傾向がある。
【０００３】
しかし乍ら，比較的小人数の特定人が使用する，例えば農家の田畑，小規模キャンプ場等における用途も予想されるが，この種従来のトイレブースは，上記作業の煩雑性によってこれらニーズに対応するものとはいえない。
【０００４】
本発明はかかる事情に基づいてなされたものであって，その解決課題とするところは，設置及び撤去作業を可及的容易になし得るとともにその保管，搬送を可及的コンパクトになし得るようにし且つ汚物をゴミとして廃棄可能としてメンテナンスを可及的容易になし得るようにして，比較的小人数の使用にも好適に対応できるようにした据置設置用トイレブースを提供するにある。
【０００５】
【課題を解決するための手段】
上記課題に添って本発明は，トイレブース（トイレといってもよい）を，扁平状に折畳自在としたトイレブース本体，便座をなし又は便器設置台をなす起倒回動自在として折畳めるようにした起倒プレート，該起倒プレートより低い段差面をなすステッププレート，該ステッププレートに起倒回動自在に折畳めるようにした上記起倒プレートの支持脚を備えて形成することによって伸張設置，折畳撤去による設置と撤去作業の簡易化を図るとともにコンパクトな折畳保管，折畳搬送をなし得るようにする一方，上記起倒プレートを転倒して便座として使用し又はこれに設置した便器を使用可能とすることによって起倒プレートの下に形成されるスペースに吸水性物質を収容配置したディスポーザル容器を設置し，汚物処理のゴミ出しによる廃棄を可能としてメンテナンスを容易になし得るようにしたものであって，即ち請求項１に記載の発明を，出入用のドアを前面に備えるとともに前後面に対して左右側面を山折又は谷折自在とすることによって扁平状に折畳自在としたトイレブース本体と，該トイレブース本体の背面の内側に起倒回動自在に配置してトイレブース本体内に便座又は便器設置台をなす起倒プレートと，上記トイレブース本体の正面の内側に起倒回動自在に設置することによって起倒プレートの正面側にこれより低い段差面をなすように配置したステッププレートと，該ステッププレートの先端に下端又は上下中間位置を起倒回動自在に設置することによってステッププレートとともに正面側に折畳自在として起倒プレートの前後方向先端又は中間位置を下支え支持する支持脚と，上記起倒プレートの転倒によって該起倒プレート下面側に形成される下位スペースに設置し，可燃性ゴミとして廃棄可能の材料によるディスポーザル容器及び該容器内に収容配置した吸水性物質とを備えてなることを特徴とする据置設置用トイレブースとしたものである。
【０００６】
請求項２に記載の発明は，上記に加えて，上記吸水性物質を収容配置したディスポーザル容器をボックスに取外し自在に設置することによって，ディスポーザル容器の形態の如何を問わずにその設置や設置外観を良好になし得るものとするように，これを，上記起倒プレート下面の下位スペースにディスポーザル容器設置用のボックスを配置し，該ボックスに上記ディスポーザル容器を取外し自在に設置してなることを特徴とする請求項１２に記載の据置設置用トイレブースとしたものである。
【０００７】
請求項３に記載の発明は，同じく上記に加えて，廃棄するディスポーザル容器を防水系材料の樹脂シート，紙等による袋体として，ゴミ出しを妨げることなく且つそのランニングコストを可及的に低下し得るものとするように，これを，上記ディスポーザル容器を可燃性材料の袋体としてなることを特徴とする請求項１又は２に記載の据置設置用トイレブースとしたものである。
【０００８】
請求項４に記載の発明は，同じく上記に加えて，吸水性物質をスポンジ，吸水紙，綿等の加圧によって放水性を呈することによってディスポーザル容器の扱いに想定される不便を解消して，保水性に優れて可及的簡易且つ確実なディスポーザル容器の扱いをなし得るものとするように，これを，上記吸水性物質を，吸水量に応じてゲル状をなす粉状乃至粒状の高吸水性樹脂としてなることを特徴とする請求項１，２又は３に記載の据置設置用トイレブースとしたものである。
【０００９】
請求項５に記載の発明は，同じく上記に加えて，比較的安価に入手でき高吸水性を呈することによって吸水性物質の性能を可及的高度に確保するとともにランニングコストを可及的に低下し得るものとするように，これを，上記高吸水性樹脂を，ポリアクリル酸ソーダ又は該樹脂系のものとしてなることを特徴とする請求項４に記載の据置設置用トイレブースとしたものである。
【００１０】
【発明の実施の形態】
以下図面の例に従って本発明を更に具体的に説明すれば，Ａは据置設置用トイレブースであり，該トイレブースＡは，出入用のドア１２を前面に備えるとともに前後面に対して左右側面を山折又は谷折自在とすることによって扁平状に折畳自在としたトイレブース本体１と，該トイレブース本体１の背面又は側面の内側に起倒回動自在に配置してトイレブース本体１内に便座又は便器設置台をなす起倒プレート２と，上記トイレブース本体１の正面の内側に起倒回動自在に設置することによって起倒プレート２の正面側にこれより低い段差面をなすように配置したステッププレート４と，該ステッププレート４の先端に下端又は上下中間位置を起倒回動自在に設置することによってステッププレート４とともに正面側に折畳自在として起倒プレート２の前後方向先端又は中間位置を下支え支持する支持脚３と，上記起倒プレート２の転倒によって該起倒プレート２下面側に形成される下位スペースに設置し，可燃性ゴミとして廃棄可能の材料によるディスポーザル容器７１及び該容器７１内に収容配置した吸水性物質とを備えたものとしてある。
【００１１】
本例にあってトイレブース本体１は，外周４面を囲繞被覆するようにドア１２付きの正面パネル乃至正面フレーム１１，背面パネル１４，左右両側の側面パネル１５とを備えるとともに正面パネル乃至正面フレーム１１と背面パネル１４に直接又は間接にそれぞれ左右両側の側面パネル１５をヒンジ４連結することによって該側面パネル１５を谷折自在として，前後に扁平状に折畳自在としたものとしてあり，本例において該谷折は，側面パネル１５を前後中央位置で分割した各２枚の分割パネル１７を用い，これを該中央位置で，直接又は中間枠を介してヒンジ４連結することによって自在としてあり，このように側面パネル１５を谷折することによって該側面パネル１５を正背面間に折畳収容自在とし，トイレブース本体１を正面パネル乃至正面フレーム１１の幅に折り畳めるようにして，その両側の側面パネルが左右にそれぞれ突出して該幅が側面パネルによって拡大するのを防止し，幅を含めた折畳寸法を可級的にコンパクト化し得るようにして，その保管性，搬送性を確保したものとしてある。
【００１２】
本例の側面パネル１５は，側面において上記正面パネル乃至正面フレーム１１の端部から側面内側方向に直交する端部枠１６を配置し，該端部枠１６に上記分割パネル１７をヒンジ４連結するとともにその前後中央位置における上記中間枠を介したヒンジ４連結を行ってあり，このとき本例のヒンジ４は，ヒンジ連結する一方の部材に長尺の軸を，他方の部材に長尺の軸受を配置し，これらを嵌合することによって相互に回動自在のヒンジをなすようにしたアルミ，樹脂等の押出成型材による全面ヒンジを用い，これら軸と軸受を長手方向に一連且つ一体とすることによってヒンジ４連結を双方の部材間の全長に亘ってこれらの間を密封するようにし，トイレとしての遮断性を高度に確保したものとしてある。
【００１３】
本例の起倒プレート２は，人が座れる高さと面積を有する水平基台をなすように，上記背面パネル１４内側の上下中間位置に上下方向１／４円回動自在にヒンジ６連結することによって上下方向上向きに起倒回動自在としてあり，これによりトイレブ−スＡの折畳時に背面パネル１４に重合するように跳ね上げ状に折畳めるようにし，また該ヒンジ６によって水平に転倒し，本例にあってその前後方向先端を上記支持脚３によって下支えすることによって便座として使用するようにしてあり，このとき該起倒プレート２は，その面内に透設した透孔にユニット便座２１を取り外し自在の嵌め込み状に設置することによって陶磁製，ステンレス製等のユニット便座付きのものとして，その使い勝手を向上したものとしてあり，また上記ヒンジ６連結は，背面パネル１４の上下方向中間位置に設置した中桟と起倒プレート２の後端とを上記全面ヒンジを用いて連結することによって背面パネル１４との連結を端部長手方向全長に亘るようにして荷重支持を安定且つ確実なものとするようにしてある。
【００１４】
本例の支持脚３は，転倒した起倒プレート２と地表との寸法に応じた高さを有してこれらの間に介設して該起倒プレート２を下支えすることによってその上記便座としての使用を可能とするように，例えば該起倒プレート２と横方向同幅にして起倒プレート２に応じた高さを有するプレートをなすものとしてあり，該支持脚３は，その上下中間位置を，本例において設置した上記ステッププレート４の先端にヒンジ６連結することによって上下方向下向きに起倒回動自在として，ステッププレート４とともにこれと重合して正面側に折畳めるようにし，また該ステッププレート４を水平に転倒した状態で支持脚３を起立して起倒プレート２を上記下支え支持するようにしてあり，このとき本例の支持脚３は同時に上記ステッププレート４をその前後方向後端で支持するようにして，起倒プレート２及びステッププレート４双方の支持脚３を兼用するようにしてある。
【００１５】
本例にあってステッププレート４は，上記起倒プレート２を転倒した状態でその正面のドア１２側にこれより低い床面の水平の段差面をなすように，上記正面パネル乃至正面フレーム１１，本例にあっては正面フレーム１１の下枠に上下方向１／４円回動自在にヒンジ６連結することによって上下方向上向きに起倒回動自在としてあり，これによりトイレブースＡの折畳時に正面パネル乃至正面フレーム１１に同じく重合するように跳ね上げ状に折畳めるようにし，また該ヒンジ６によって水平に転倒し，本例にあってその前後方向後端を上記支持脚３によって支持することによってステッププレート４として使用するようにしてある。
【００１６】
このとき本例のヒンジ６連結は同じく全面ヒンジを使用して部材間の全長に亘るものとしてあり，これによってステッププレート４の荷重支持を安定且つ確実なものとし，また支持脚３の起立状態を安定且つ確実に保持するようにしてある。
【００１７】
本例のディスポーザル容器７１は，これを，可燃性材料の袋体とし，またこれに収容配置した上記吸水性物質は，これを，吸水量に応じてゲル状をなす粉状乃至粒状の高吸水性樹脂とするとともに本例において該高吸水樹脂は，これを，ポリアクリル酸ソーダ又は該樹脂系のものとしてある。
【００１８】
袋体のディスポーザル容器７１は，可燃性にして薄肉防水系の材料を用いた，例えばポリエチレン樹脂製の袋体，防水紙製の袋体等，比較的低コストの使い捨てに適した材料の袋体を使用し，該袋体に，比較的低コストの使い捨てに適した材料にして，例えば純水で数百倍乃至千倍程度といった高倍率の吸水が可能で且つ保水性に優れた上記ポリアクリル酸ソーダを収容配置したものとしてあり，このとき本例にあっては，上記起倒プレート２下面の下位スペースにディスポーザル容器設置用のボックス７を配置し，該ボックス７に上記ディスポーザル容器７１を取外し自在に設置したものとしてあり，例えば上面を開口し上記起倒プレート２の下面に達する程度の高さにして扁平折畳み自在に形成した方形断面の木製，金属製等のボックス７を地表に据置する一方，該ボックス７に上記袋体を装着して，その折返し上端部をボックス７外側面におけるバンド７２等によって固定し，該袋体に，例えば数十倍程度に体積膨張することを想定して袋体の容量より相当程度少ない適当量を収容配置することによって，該ボックス７に取り外し自在としたディスポーザル容器７１を設置するようにしてある。
【００１９】
一方５は，本例においてトイレブース本体１に設置した屋根であり，該屋根５は前後方向中央位置で前後に分割した同幅一対の分割屋根パネル５１を用いて，これらを該中央位置でヒンジ６連結するとともに各前後一方の端部をトイレブース本体１の上記正面パネル乃至正面フレーム１１又は背面パネル１４の上端部分にヒンジ６連結することによって山折自在として，トイレブース本体１を拡開伸張することによって拡開伸張して該トイレブース本体１上に切妻屋根を形成するようにする一方，トイレブース本体１を折畳むことによって各分割屋根パネル５１が山折して，該分割屋根パネル５１が，一般に空いている上方空間に相互に重合起立状の折畳みをなすようにしてあり，これにより折畳厚さを可及的に薄くして，倉庫，屋外設置場等の上方空間使用可能の場所における保管やトラック搬送に適したものとしてある。
【００２０】
このように形成した本例のトイレブースＡは，折畳み状態で保管し，例えば工事現場，農家の田畑，イベント会場等に搬送し，設置現場でトイレブース本体１を拡開伸張し，ディスポーザル容器設置用のボックス７を配置し，該ボックス７に上記ディスポーザル容器７１を取外し自在に設置した後，起倒プレート２，支持脚３及びステッププレート４を転倒乃至起立し，起倒プレート４にユニット便座２１を設置することによって，トイレブースＡを据置設置し，必要に応じてトイレブース本体１を，例えばアンカー金具８等によって地表に固定するように適宜の固定措置を施し，上記設置現場においてそのトイレ使用に供するように用い，不要となったときには，逆の手順によってこれを折畳撤去して再び搬送，保管するようにすればよい。
【００２１】
トイレブースＡは，その継続的な使用に際して上記ディスポーザル容器７１の容量を勘案して適宜の頻度によって，またこれを撤去するときには該撤去に際して，上記ボックス７からディスポーザル容器７１を取り外し，その開口を塞ぐ措置を行って，例えば可燃ゴミ乃至生ゴミとしてゴミ出して廃棄するようにし，再設置が必要なときにはディスポーザル容器７１を外したボックス７に，高吸水性物質を収容したディスポーザル容器７１をセットして改めてその設置を行うようにすればよい。
【００２２】
本例のディスポーザル容器７１に収容配置した吸水性物質は，これを，高吸水樹脂の，極めて高度な吸水倍率を呈し得るポリアクリル酸ソーダ又は該樹脂系のものとしたことによって，トイレ使用によりその吸水量に応じて膨潤してゲル化するから，ディスポーザル容器７１を上記薄肉防水系の袋体とするも汚物を流動性のないゲル状態のものとして取り扱うことができ，ディスポーザル容器７１の口を塞ぐ等して可及的簡易且つ確実にゴミとしてその廃棄処理を行うことができるとともにこのゴミを可燃ゴミ乃至生ゴミとしてその収集対象とし得るようにすることによって汚物の廃棄処理に困るようなこともなく，また本例の上記高吸水樹脂は，これをポリアクリル酸ソーダ又は該樹脂系のものとすることによって臭気を吸収する消臭性を備えたものとしてあり，従って汚物の取り扱いについてその臭気を解消乃至減少することが可能となる。
【００２３】
図中１３はドア１２の施錠用ラッチ，１８は側面パネル１４に配置した換気口，１９は側面パネル１４と屋根３間に介設して屋根３を受止めするクッション材，３１は起倒プレート２と支持脚３間に配置した解除自在の固定金具，６１は，上記分割屋根パネル５１をその背面側幅広の分割パネル５１における中間位置で谷折自在にヒンジ６連結することによって，例えば分割パネル５１間及び上記背面側幅広の分割パネル５１の背面側位置に介設配置するようにして，屋根５を持ち上げ方向に上方に回動自在とすることによって，本例にあって屋根５，例えばその重合枠５２とトイレブース本体１，例えばその背面パネル１４との係合を容易に解除し得るようにして，トイレブース本体１の折畳みをスムーズになし得るようにした，それぞれ同じく全面ヒンジを用いて密封性を確保するようにした屋根持ち上げ用のヒンジ，７２はディスポーザル容器７１の外れ止め用のゴムバンドである。
【００２４】
図示した例は以上のとおりとしたが，トイレブース本体を，前後面に対して左右側面を山折自在とすることによって扁平状に折畳自在とすること，起倒プレートをそれ自体便座とし，便器設置台をなすようにすること，ディスポーザル容器を硬質の箱体等の自立保形性を備えたものとし，上記ボックスを用いることなく単独に設置使用するようにすること，吸水性物質をスポンジ等の吸水性を備えたものとすること，ヒンジ連結をヒンジ金物によって行うこと，ヒンジ連結に上記全面ヒンジを用いるとき，軸と軸受とをそれぞれ形成したヒンジ部材を連結する部材に固定して軸と軸受を嵌合することによって，これを構成すること，屋根を設置するとき，これを陸屋根等とすること，上記のように屋根を持ち上げ方向に上方に回動自在として該屋根とトイレブース本体の係合を解除するときにヒンジ設置を前後方向に単一の箇所とすること等を含めて，本発明の実施に当って，トイレブース本体，そのドア，起倒プレート，支持脚，ディスポーザル容器，吸水性物質，必要に応じて用いるヒンジ，屋根，ディスポーザル容器設置用のボックス，高吸水性樹脂等の各具体的構造，形状，材質，これらの関係等は，上記発明の要旨に反しない限り様々な形態のものとすることができる。
【００２５】
【発明の効果】
本発明は以上のとおりに構成したから，請求項１に記載の発明は，トイレブースを，扁平状に折畳自在としたトイレブース本体，便座をなし又は便器設置台をなす起倒回動自在として折畳めるようにした起倒プレート，該起倒プレートより低い段差面をなすステッププレート，該ステッププレートに起倒回動自在に折畳めるようにした上記起倒プレートの支持脚を備えて形成することによって伸張設置，折畳撤去による設置と撤去作業を可及的容易になしうるとともに保管，搬送を可及的コンパクトになし得るようにし，上記起倒プレートの下に形成されるスペースに吸水性物質を収容配置したディスポーザル容器を設置して汚物をゴミとして廃棄可能としてメンテナンスを可及的容易になし得るようにして，比較的小人数の使用にも好適に対応できるようにした据置設置用トイレブースを提供することができる。
【００２６】
請求項２に記載の発明は，同じく上記に加えて，上記吸水性物質を収容配置したディスポーザル容器をボックスに取外し自在に設置することによって，ディスポーザル容器の形態の如何を問わずにその設置や設置外観を良好になし得るものとすることができる。
【００２７】
請求項３に記載の発明は，同じく上記に加えて，廃棄するディスポーザル容器を防水系材料の樹脂シート，紙等による袋体として，ゴミ出しを妨げることなく且つそのランニングコストを可及的に低下し得るものとすることができる。
【００２８】
請求項４に記載の発明は，同じく上記に加えて，吸水性物質をスポンジ，吸水紙等の加圧によって放水性を呈することによってディスポーザル容器の扱いに想定される不便を解消して，可及的簡易且つ確実なディスポーザル容器の扱いをなし得るものとすることができる。
【００２９】
請求項５に記載の発明は，同じく上記に加えて，比較的安価に入手でき高吸水性を呈することによって吸水性物質の性能を可及的高度に確保するとともにランニングコストを可及的に低下し得るものとすることができる。
【図面の簡単な説明】
【図１】  トイレブースの要部を示す一部切欠斜視図である。
【図２】  起倒プレートと支持脚の関係を示すトイレブースの一部切欠斜視図である。
【図３】  トイレブースの折畳状態と示す斜視図である。
【図４】  トイレブースの要部を示す縦断面図である。
【図５】  トイレブースの使用状態を示す縦断面図である。
【図６】  図１のА−Ａ線縦断面図である。
【図７】  図１のＢ−Ｂ線縦断面図である。
【図８】  図１のＣ−Ｃ線横断面図である。
【図９】  側面パネルの折畳状態を示す部分横断面図である。
【符号の説明】
Ａ  トイレブース
１  トイレブース本体
２  起倒プレート
２１  ユニット便座
３  支持脚
４  ステッププレート
５  屋根
６  ヒンジ
７  ボックス
７１  ディスポーザル容器
８  アンカー
【図１】
0003648488.tif 000002
【図２】
0003648488.tif 000003
【図３】
0003648488.tif 000004
【図４】
0003648488.tif 000005
【図５】
0003648488.tif 000006
【図６】
0003648488.tif 000007
【図７】
0003648488.tif 000008
【図８】
0003648488.tif 000009
【図９】
0003648488.tif 000010